(57)【要約】【課題】非等方的な所望の照射範囲を発光素子からの出射光によって滑らかな照度分布となるように照射し、複数の発光素子を備えた面光源装置において輝度ムラの発生を防止する。【解決手段】発光素子４からの光は光束制御部材５を介して出射する。光束制御部材５の光制御出射面６は、発光素子４から出射した光のうち、少なくともその最大強度の光が出射される方向から出射光の強度が最大強度の半分の値となる光が出射される方向までの角度範囲内に出射される光について、光束制御部材５に入射して光制御出射面６に到達した前記角度範囲内の光とその到達点を通り発光装置の基準光軸と平行な線とのなす角θ１と光制御出射面６から出射する光の出射角θ５が、発光素子４から出射される光のうちの光軸Ｌ近傍の光を除き、θ５／θ１＞１の関係を満足するとともに、このθ５／θ１の値をθ１及びφ（Ｌ軸回りの回転角）によって変化させる形状に形成されている。【選択図】図３
2007227410.tif 000002
【特許請求の範囲】
【請求項１】
発光素子からの光を光束制御部材を介して出射するようになっている発光装置において、
前記光束制御部材は、前記発光素子または封止部材に封止された前記発光素子に対応する凹みと、前記発光素子からの光の出射を制御する光制御出射面と、を備え、
前記光制御出射面は、
（１）前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、
（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、
（３）前記最小輪郭部分から前記最大輪郭部分に向かうにしたがって前記角度θ１に対する前記出射角θ５の値が増加するように形成された、
ことを特徴とする発光装置。
【請求項２】
発光素子からの光を光束制御部材を介して出射するようになっている発光装置において、
前記光束制御部材は、前記発光素子または封止部材に封止された前記発光素子を収容する凹みと、前記発光素子からの光の出射を制御する光制御出射面と、を備え、
前記光制御出射面は、
（１）前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、
（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、
（３）前記最小輪郭部分から前記最大輪郭部分に向かうにしたがって前記角度θ１に対する前記出射角θ５の値が増加するように形成された、
ことを特徴とする発光装置。
【請求項３】
前記凹みを構成する内周面は、前記発光素子または前記発光素子を封止する前記封止部材の光出射面に隙間をもって係合していることを特徴とする請求項２記載の発光装置。
【請求項４】
前記凹みを構成する内周面は、前記発光素子または前記発光素子を封止する前記封止部材の光出射面に密接していることを特徴とする請求項２記載の発光装置。
【請求項５】
前記光制御出射面は、前記基準光軸近傍の第１の出射面とこの第１の出射面の周囲に位置する第２の出射面とを有し、これら第１の出射面と第２の出射面との接続部分が変曲点となっていることを特徴とする請求項１乃至４のいずれかに記載の発光装置。
【請求項６】
前記請求項１乃至５のいずれかに記載の発光装置と、この発光装置からの光を拡散・透過する光拡散部材と、を備えたことを特徴とする面光源装置。
【請求項７】
前記請求項６に記載の面光源装置と、この面光源装置からの光を照射する被照明部材と、を備えたことを特徴とする表示装置。
【請求項８】
発光素子または封止部材に封止された発光素子に対応する凹みと、前記発光素子からの光の出射を制御する光制御出射面と、を備えた光束制御部材であって、
前記光制御出射面は、
（１）前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、
（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、
（３）前記最小輪郭部分から前記最大輪郭部分に向かうにしたがって前記角度θ１に対する前記出射角θ５の値が増加するように形成された、
ことを特徴とする光束制御部材。
【請求項９】
発光素子または封止部材に封止された発光素子を収容する凹みと、前記発光素子からの光の出射を制御する光制御出射面と、を備えた光束制御部材であって、
前記光制御出射面は、
（１）前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、
（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、
（３）前記最小輪郭部分から前記最大輪郭部分に向かうにしたがって前記角度θ１に対する前記出射角θ５の値が増加するように形成された、
ことを特徴とする光束制御部材。
【発明の詳細な説明】
【技術分野】
【０００１】
本発明は、発光装置、面光源装置、表示装置及び光束制御部材に関し、例えば、液晶表示パネルの背面側から面状に照明するバックライトの光源や室内の一般照明など各種照明として用いられる発光装置、これを使用し、各種照明に用いられる面光源装置、この面光源装置を照明手段として被照明部材と組み合わせて使用する表示装置、及びこれら面光源装置や表示装置を構成する光束制御部材に関するものである。
【背景技術】
【０００２】
従来から、パーソナルコンピュータやテレビジョン等に使用される液晶表示モニタの照明手段として、複数の発光素子（ＬＥＤ）を点光源として使用した面光源装置が知られている。この面光源装置は、液晶表示モニタの液晶表示パネルとほぼ同形状の板状の光束制御部材の裏面側に複数のＬＥＤをマトリックス状に配置し、そのＬＥＤからの光を光束制御部材の裏面側から光束制御部材の内部に入射させ、その光束制御部材の内部に入射した光を光束制御部材の裏面に対向する出射面から出射させて、その出射光によって液晶表示パネルをその背面側から面状に照明できるようになっている。
【０００３】
例えば、図１９に示す従来の表示装置１００は、基板１０１上に所定のピッチで複数のＬＥＤ（発光素子）１２０を配置し、各ＬＥＤ１２０から出射する光を光拡散部材１２１を透過させた後、その光拡散部材１２１を透過した光で被照明部材（例えば、液晶表示パネル）３を面状に照明するようになっている。
【０００４】
【特許文献１】特開平７−１９１３１１号公報（図３参照）
【発明の開示】
【発明が解決しようとする課題】
【０００５】
しかしながら、従来の表示装置１００は、図１０，図１１，図１５及び図１７に示すように、各ＬＥＤ１２０に対応するように出現する照明光の輝度のばらつきが略波形形状で大きいため、各ＬＥＤ１２０間の照明光に暗部が生じ、均一な面状照明を行うことが困難であった。
【０００６】
そこで、本発明は、光源として用いられる発光装置、複数のＬＥＤ等の点状光源を使用する面光源装置及びこの面光源装置を使用する表示装置において、特に等方的に光を出射する点状光源を用いた場合には不充分であった輝度ムラのない均一な面状照明を可能にすることを目的とする。また、本発明は、１個の点状光源を光源として使用するような場合でも、点状光源からの光を効率よく、所望の範囲まで非等方的に滑らかに拡げることができるようにすることを目的とする。
【課題を解決するための手段】
【０００７】
請求項１の発明は、発光素子からの光を光束制御部材を介して出射するようになっている発光装置に関するものである。この発光装置において、前記光束制御部材は、前記発光素子または封止部材に封止された前記発光素子に対応する凹みと、前記発光素子からの光の出射を制御する光制御出射面と、を備えている。また、前記光制御出射面は、（１）前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、（３）前記最小輪郭部分から前記最大輪郭部分に向かうにしたがって前記角度θ１に対する前記出射角θ５の値が増加するように形成された、ことを特徴としている。
【０００８】
請求項２の発明は、発光素子からの光を光束制御部材を介して出射するようになっている発光装置に関するものである。この発光装置において、前記光束制御部材は、前記発光素子または封止部材に封止された前記発光素子を収容する凹みと、前記発光素子からの光の出射を制御する光制御出射面と、を備えている。また、前記光制御出射面は、（１）前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、（３）前記最小輪郭部分から前記最大輪郭部分に向かうにしたがって前記角度θ１に対する前記出射角θ５の値が増加するように形成された、ことを特徴としている。
【０００９】
請求項３の発明は、請求項２記載の発明に係る発光装置に関するものである。この発光装置において、前記凹みを構成する内周面は、前記発光素子または前記発光素子を封止する前記封止部材の光出射面に隙間をもって係合するようになっている。
【００１０】
請求項４の発明は、請求項２記載の発明に係る発光装置に関するものである。この発光装置において、前記凹みを構成する内周面は、前記発光素子または前記発光素子を封止する前記封止部材の光出射面に密接するようになっている。
【００１１】
請求項５の発明は、請求項１乃至４のいずれかの発明に係る発光装置に関するものである。この発光装置において、前記光制御出射面は、前記基準光軸近傍の第１の出射面とこの第１の出射面の周囲に位置する第２の出射面とを有し、これら第１の出射面と第２の出射面との接続部分が変曲点となっていることを特徴としている。
【００１２】
請求項６の発明は、前記請求項１乃至５のいずれかの発明に係る発光装置と、この発光装置からの光を拡散・透過する光拡散部材と、を備えたことを特徴とする面光源装置に関するものである。
【００１３】
請求項７の発明は、前記請求項６の発明に係る面光源装置と、この面光源装置からの光を照射する被照明部材と、を備えたことを特徴とする表示装置に関するものである。
【００１４】
請求項８の発明は、発光素子または封止部材に封止された発光素子に対応する凹みと、前記発光素子からの光の出射を制御する光制御出射面と、を備えた光束制御部材に関するものである。この光束制御部材において、前記光制御出射面は、前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、（３）前記最小輪郭部分から前記最大輪郭部分に向かうにしたがって前記角度θ１に対する前記出射角θ５の値が増加するように形成された、ことを特徴としている。
【００１５】
請求項９の発明は、発光素子または封止部材に封止された発光素子を収容する凹みと、前記発光素子からの光の出射を制御する光制御出射面と、を備えた光束制御部材に関するものである。この光束制御部材において、前記光制御出射面は、前記発光素子から出射した光のうち、少なくともその最大強度の光が出射される方向から出射光の強度が最大強度の半分の値となる光が出射される方向までの角度範囲内に出射される光について、前記光束制御部材に入射して前記光制御出射面に到達した前記角度範囲内の光とその到達点を通り前記発光装置の基準光軸と平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成され、（２）前記基準光軸に直交する仮想平面に投影した輪郭形状において、前記基準光軸から最短距離に位置する最小輪郭部分が前記基準光軸の周囲に９０°間隔で配置され、隣り合う前記最小輪郭部分間に前記基準光軸から最長距離に位置する最大輪郭部分が配置されるようになっており、（３）前記最小輪郭部分から前記最大輪郭部分に向かうにしたがって前記角度θ１に対する前記出射角θ５の値が増加するように形成された、ことを特徴としている。
【発明の効果】
【００１６】
本発明によれば、発光素子から発せられた光の光束を、光束制御部材の光制御出射面により、非等方的に滑らかに拡げることができ、光束制御部材の出射面から出射された光によって、非等方的な所定の範囲を効率的に照明することができる。したがって、本発明によれば、複数の発光素子を光源として面光源装置に使用する場合、面光源装置における発光面上での出射光輝度も均一化し、高品質の照明が可能になる。
【発明を実施するための最良の形態】
【００１７】
以下、本発明が適用可能な発光素子、面光源装置及び表示装置の最良の実施の形態を図面に基づいて説明する。
【００１８】
《第１実施形態》
［面光源装置及び表示装置の概略構成］
図１〜図３は、本実施の形態に係る表示装置１及びこの表示装置１を構成する面光源装置２を示すものである。なお、図１は被照明部材（例えば、液晶表示パネル）３等を取り外して示す表示装置１の平面図（面光源装置２の平面図）である。また、図２は、表示装置１の概略を示す断面図であり、図１のＸ１−Ｘ１線及びＸ３−Ｘ３線に沿って切断して示す表示装置１の断面図である。また、図３は、発光素子（ＬＥＤ）４の基準光軸Ｌを含む表示装置１の一部断面図であり、光束制御部材５の光制御出射面６の形状を説明するための各パラメータを示す図である。ここで、基準光軸Ｌとは、発光装置９からの立体的な出射光束の中心における光の進行方向をいう。なお、本実施の形態においては、発光素子４の光軸（発光素子４からの立体的な出射光束の中心における光の進行方向）と基準光軸Ｌが一致している場合を例にして説明する。したがって、以下の説明において、基準光軸Ｌを光軸Ｌと言い換えて説明する。
【００１９】
これらの図に示すように、本実施の形態の表示装置１は、平面形状が丸みを帯びた略四角形状の光拡散部材７の裏面側にほぼ等間隔に（ピッチＰで）複数配置された点光源としての発光素子４（例えばＬＥＤ）と、光拡散部材７の出射面（裏面と反対側の面）側に配置された被照明部材３と、を備えている。なお、本実施の形態においては、発光素子４、光束制御部材５及び光拡散部材７によって面光源装置２が構成されている。また、発光素子４及び光束制御部材５によって発光装置９が構成されている。
【００２０】
［光束制御部材］
このような表示装置１を構成する光束制御部材５は、図１乃至図４に示すような形状をしており、例えば、ＰＭＭＡ（ポリメタクリル酸メチル）、ＰＣ（ポリカーボネート）、ＥＰ（エポキシ樹脂）等の透明樹脂材料や透明なガラスで形成されている。
【００２１】
この光束制御部材５は、図１及び図４（ａ）に示すように、平面形状が丸みを帯びた略四角形状を呈しており、４隅の比較的曲率半径の小さな曲面８ａを比較的曲率半径の大きな曲面８ｂで接続するような形状に形成されている。そして、この光束制御部材５において、光軸Ｌに直交する仮想平面に投影した輪郭形状（平面形状）は、対向する比較的曲率半径の大きな曲面８ｂ，８ｂ間の寸法（図４（ａ）の直交軸方向の側面間寸法）Ｌ１よりも、対向する比較的曲率半径の小さな曲面８ａ，８ａ間の寸法（図４（ａ）の対角線方向の側面間寸法）Ｌ２の方が大きくなるように形成されている。すなわち、光束制御部材５の平面形状は、光軸Ｌから最短距離に位置する最小輪郭部分（曲面８ｂが位置する部分）が光軸Ｌの周囲に９０°間隔で配置されており、隣り合う最小輪郭部分間に光軸Ｌから最長距離に位置する最大輪郭部分（曲面８ａが位置する部分）が配置されている。そして、対向する最小輪郭部分間の寸法Ｌ１よりも最大輪郭部分間の寸法Ｌ２の方が大きくなるように形成されている。
【００２２】
また、この光束制御部材５は、図４（ａ）のＸ２−Ｘ２線に沿って切断して示す図４（ｄ）のように、裏面側（図４（ｄ）の下面側）に、発光素子４の発光中心を中心とする半径Ｒの半球状の凹み１０が形成されている。この凹み１０は、図４（ａ），（ｄ）に示すように、光束制御部材５の裏面側の中心に位置し、発光素子４の発光面部４ａよりも上方の部分が発光素子４の発光中心を中心とする半球状の第１内周面１０ａであり、発光素子４の発光面部４ａよりも下方の部分が第１内周面１０ａの下端から下方に延びて光束制御部材５の下面５ａに開口する円筒状の第２内周面１０ｂである。そして、凹み１０の第１内周面１０ａ及び第２内周面１０ｂと発光素子４との間に空間が生じるようになっている。
【００２３】
また、この光束制御部材５は、その外表面側に光制御出射面６が形成されている。この光制御出射面６は、光軸Ｌを中心とする所定範囲に位置する第１の出射面６ａと、この第１の出射面６ａの周囲に連続して形成される第２の出射面６ｂと、からなっている。このうち、第１の出射面６ａは、図４（ｄ）の断面形状に示すように、下に凸の滑らかな曲面形状である。また、第２の出射面６ｂは、図４（ｄ）の断面形状に示すように、第１の出射面６ａに連続して形成される上に凸の滑らかな曲面形状であり、第１の出射面６ａの周囲を取り囲むように形成されている。
【００２４】
そして、これら第１の出射面６ａと第２の出射面６ｂが滑らかに接続され、その両出射面６ａ，６ｂの接続部分が変曲点Ｐｏになっている。また、光制御出射面６を構成する第２の出射面６ｂの外周側には、図４（ｄ）の断面形状に示すように、第２の出射面６ｂと裏面の平面部１１とを接続する第３の出射面６ｃが形成されている。なお、第３の出射面６ｃは、図４（ｄ）に示すように、第２の出射面６ｂと下面５ａの平面部とを滑らかに接続する曲面であるが、これに限られず、光束制御部材５からの広範囲且つ均一な出射を妨げる形状でなければ、下面５ａの平面部に直交する側面を一部に備えていてもよい。ここで、光軸Ｌから出射面６ｂと６ｃの接続点Ｐａまでの角度をδ１とし、光軸Ｌから変曲点Ｐｏまでの角度をδ２とする。
【００２５】
このような光束制御部材５の光制御出射面６の詳細を図３に基づき説明する。この図３において、発光素子４の光軸Ｌに直交する水平面を基準面Ｃとすると、発光素子４から出射して光束制御部材５内を伝播した光Ｈが光制御出射面６から出射する位置（図３の断面における光制御出射面６と光Ｈとの交点Ｐｘ）で基準面Ｃに平行に引いた線をＡとする。また、この図３において、発光素子４からの光Ｈが光制御出射面６から出射する位置Ｐｘにおける光制御出射面６の輪郭線に対する接線Ｂと線Ａとのなす角をθ３とする。そして、この図３において、光束制御部材５の内部を伝播した発光素子４からの光Ｈが光束制御部材５の光制御出射面６へ入射する入射角（光制御出射面６へ入射する光Ｈと光軸Ｌとのなす角）をθ１とし、光制御出射面６から出射する出射角（光制御出射面６から出射する光Ｈと光軸Ｌとのなす角）をθ５とする。
【００２６】
この図３に示す光制御出射面６は、発光素子４から出射される光Ｈのうちで、少なくとも最大強度の光が出射される方向（光軸Ｌに沿った方向であって、基準面Ｃの法線方向に沿った方向）から最大強度の半分の値となる光が出射される方向までの角度範囲を含む所定の範囲内（図５において、θ１＜δ１の角度範囲内）において、法線（図３における光軸Ｌ）の近傍の光を除き、θ１とθ５の関係が（θ５／θ１）＞１となるように形成されており、このθ５／θ１の値をθ１の増加にしたがって徐々に減少させるような形状に形成されている（図５の曲線１４ａ，１４ｂ参照）。なお、図５において、点線で示す線１５は、（θ５／θ１）＝１の線である。また、図５において、曲線１４ａは、図４（ａ）及び図７（ａ）の出射角φ＝０°，９０°におけるθ１とθ５との関係を示すものである。また、図５において、曲線１４ｂは、図４（ａ）及び図７（ａ）の出射角φ＝４５°におけるθ１とθ５との関係を示すものである。ここで、光束制御部材５の拡散度合いの係数をαとすると、θ１＜δ１の範囲内において、θ５は数１のように表すことができ、θ３は数２のように表すことができる。また、拡散度合いの係数αは、図７（ａ）に示すように、出射角φ（図４（ａ）参照）に応じて変化するようになっており、φ＝０°とφ＝９０°の間の出射角φ（０°＜φ＜９０°、但し図７（ａ）においてはφ＝４５°）で最大値になるように設定される。また、上述の法線（図３における光軸Ｌ）の近傍は、例えば、θ１が±５°以内程度とされることが好ましい。
【００２７】
【数１】
2007227410.tif 000003
【００２８】
【数２】
2007227410.tif 000004
このようにして求められたθ３は、図６の曲線１６ａ，１６ｂに示すように、光軸Ｌの近傍からθ１＝δ２となるまでは、θ３はθ１の増加とともに徐々に減少し、θ１＞δ２の範囲では（図４（ｄ）参照）、θ３はθ１の増加とともに徐々に増加するようになっている。そして、θ１がδ１に合致すると、θ３＝θ１となる。なお、図６において、曲線１６ａは、図４（ａ）及び図７（ａ）の出射角φ＝０°，９０°におけるθ１とθ３との関係を示すものである。また、図６において、曲線１６ｂは、図４（ａ）及び図７（ａ）の出射角φ＝４５°におけるθ１とθ３との関係を示すものである。
【００２９】
拡散度合いの係数αは、図７（ａ）に詳細を示すように、本実施形態においてはｓｉｎカーブでその変化が表されるようになっており、出射角φ＝０°，９０°でα＝１．０（αの最小値（αｍｉｎ））となり、出射角φ＝４５°でα＝１．１（αの最大値（αｍａｘ））となっている。そして、αｍａｘ−αｍｉｎ＝２βに設定されており、本実施形態においては２β＝０．１に設定されている。なお、図７（ｂ）は図３に対応する図であり、図７（ｃ）はＬＥＤの発光面部と出射角φの関係を示す図である。
【００３０】
尚、本発明を実施するための最良の形態においては、光束制御部材５の裏面側の発光素子４を収容する凹み１０が、発光素子４の発光中心を中心とする半径Ｒの半球状に形成されていることによって、発光素子４からの出射角（図７（ｂ）参照）と光束制御部材５の光制御出射面６への入射角（図３参照）とがθ１で一致している。凹み１０の形状が半球状でない場合には、光制御出射面６への入射角θ１として、前述のθ１とθ５の関係、θ１とθ３の関係を満たすように光制御出射面６を設定する。
【００３１】
そして、拡散度合いの係数αは、φ＞φ１（９０°≧φ＞φ１）の範囲において、数３のように表すことができる。また、拡散度合いの係数αは、φ≦φ１（０°≦φ≦φ１）の範囲において、数４のように表すことができる。なお、本実施形態においては、φ１＝４５°に設定されている。
【００３２】
【数３】
2007227410.tif 000005
【００３３】
【数４】
2007227410.tif 000006
次に、図２及び図３に基づいて、光束制御部材５の光制御出射面６による作用を説明する。これらの図に示すように、発光素子４からの光Ｈは、光束制御部材５の内部を伝播した後、光制御出射面６から外部（空気中）にスネルの法則にしたがって出射することになる。この際、本発明に係る光束制御部材５から出射される発光素子４からの光束は、図１９に示す従来の発光素子１２０から出射される光束に比較し、所望の照射範囲内に向けて滑らかに拡げて出射させられる。
【００３４】
（実施例）
次に、本発明の第１態様に係る光束制御部材５を用いた発光装置９の実施例を図１乃至図４を参照しつつ説明する。これらの図に示した光束制御部材５の光制御出射面６は、発光素子４の発光特性（発光素子４からの出射光束の広がり角度であって、特に出射光の強度が最大強度の半分の値の光の出射角）、光束制御部材５の光軸Ｌ方向の厚さｄ（特に、発光素子４の発光面部４ａから光制御出射面６の第１の出射面６ａまでの光軸Ｌ方向の距離）、各発光素子４のピッチ間距離ｐ、光束制御部材５の出射面（第１の出射面６ａ）から光拡散部材７までの光軸Ｌ方向の距離Ｌｈ、光束制御部材５の屈折率ｎ、光束制御部材５の入射面凹部形状（凹み１０を構成する凹面形状の半径Ｒ）等によって、光束制御部材５の輪郭寸法Ｌ１，Ｌ２、第１の出射面６ａ及び第２の出射面６ｂの形状等が決定されるようになっている。例えば、光束制御部材５は、入射面凹部形状が半球状で、屈折率ｎ＝１．４９の透明樹脂材料で形成されており、Ｌ１＝７．１７ｍｍ、Ｌ２＝７．７１ｍｍ、ｄ＝２．３ｍｍ、Ｒ＝１．５ｍｍ、Ｌｈ＝２４ｍｍ、ｐ＝４５ｍｍに設定されている。δ２はφ＝０°からφ＝９０°まで徐々に変化し、φ＝０°，９０°においてθ１＝δ２＝１２°、φ＝４５°においてθ１＝δ２＝１３°となるように、また、第２の出射面６ｂと第３の出射面６ｃの接続部分におけるθ１が、θ１＝δ１＝７５°となるように形成されている。
【００３５】
（その他の態様）
なお、上述の実施形態の光束制御部材５において、光制御出射面６にシボ面を形成し、光制御出射面６から出射する光を拡散させるようにしてもよい。
【００３６】
また、上述の実施形態の光束制御部材５は、光拡散物質（例えば、シリコーン粒子や酸化チタン）を含む材料で形成するようにしてもよい。
【００３７】
また、上述の実施形態において、拡散度合いの係数αは、図７（ａ）において例示したように、φ１＝４５°において最大値になるように設定されているが、これに限られず、０°＜φ１＜９０°（９０°＜φ１＜１８０°、１８０°＜φ１＜２７０°、２７０°＜φ１＜３６０°）の範囲内において最適な角度位置に設定される。
【００３８】
また、上述の実施形態において、拡散度合いの係数αは、照射範囲内における照度分布が滑らかな変化となるように、図７（ａ）に示したｓｉｎカーブにしたがって変化する態様を例示したが、これに限られず、要求される条件に応じた曲線又は直線で表される変化（φの変化に対応する変化）をさせるようにしてもよい。その結果、平面形状が丸みを帯びた四角形状にならなくてもよい。
【００３９】
また、上述の実施形態において、図１に示すように、発光装置９を縦方向及び横方向に等ピッチで３個、合計９個配置する態様を例示したが、図９に示すように、隣り合う発光装置９間のピッチが全て等間隔となるように、合計７個配置するようにしてもよい。この図９に示す表示装置１と図１に示す表示装置１とを比較すると、図１に示す表示装置１は、コーナー部分に対応して発光装置９が配置されるため、コーナー部分を明るく照明できる。一方、図９に示す表示装置１は、発光装置９がコーナー部分に対応して配置されず、図１の表示装置１よりも照明光がコーナー部分に到達し難い。
【００４０】
また、上述の実施形態において、発光素子４と光束制御部材５の凹み１０との隙間に樹脂を充填し、発光素子４と光束制御部材５との隙間を無くすようにしてもよい。
【００４１】
［光拡散部材］
図８は、本実施の形態に係る表示装置１の光拡散部材７を示すものである。この図において、（ａ）〜（ｆ）の各光拡散部材７は、光透過性に優れたＰＭＭＡやＰＣ等の樹脂材料によってシート状あるいは平板形状に形成されており、被照明部材（液晶表示パネル、広告表示パネル、標識表示パネル等）３の平面形状とほぼ同様の大きさ（面積）に形成されている。
【００４２】
図８（ａ）の光拡散部材７は、シート状母材７ａの表裏両面にエンボス加工或いはビーズコート等の拡散処理を施してあり、シート状母材７ａの表裏両面に微細な凹凸７ｂ，７ｂを形成してある。
【００４３】
また、図８（ｂ）の光拡散部材７は、シート状母材７ａに拡散材７ｃを混入すると共に、シート状母材７ａの表裏両面にエンボス加工或いはビーズコート等の拡散処理を施して、シート状母材７ａの表裏両面に凹凸７ｂ，７ｂを形成してある。
【００４４】
また、図８（ｃ）の光拡散部材７は、シート状母材７ａの光束制御部材５に面する側にエンボス加工或いはビーズコート等の拡散処理を施して凹凸７ｂを形成し、そのエンボス加工或いはビーズコート等の拡散処理を施した面と反対側のシート状母材７ａの表面に紙面の垂直方向に沿って延びるプリズム突起７ｄを多数連続して形成してある。
【００４５】
また、図８（ｄ）の光拡散部材７は、図８（ｃ）の光拡散部材７のシート状母材７ａに拡散材７ｃを混入した構造を呈しており、図８（ｃ）の光拡散部材７と同様に、シート状母材７ａの光束制御部材５に面する側にエンボス加工或いはビーズコート等の拡散処理を施して凹凸７ｂを形成し、そのエンボス加工或いはビーズコート等の拡散処理を施した面と反対側のシート状母材７ａの表面にプリズム突起７ｄを多数連続して形成してある。
【００４６】
なお、図８（ｃ），図８（ｄ）に示すプリズム突起７ｄは、断面形状が略二等辺三角形の突起になるように形成されているが、これに限られず、ほぼ三角形状を呈していればよい。
【００４７】
また、図８（ｅ）に示すように、光拡散部材７は、シート状母材７ａの出射面側に円錐形状の突起７ｅを複数形成し、この突起７ｅでシート状母材７ａを透過する光を拡散するようにしてもよい。
【００４８】
また、図８（ｆ）に示すように、光拡散部材７は、シート状母材７ａの出射面側に角錐（三角錐，四角錐，六角錐等の角錐）形状の突起７ｆを複数形成し、この突起７ｆでシート状母材７ａを透過する光を拡散するようにしてもよい。
【００４９】
このような構造の光拡散部材７は、光束制御部材５の光制御出射面６から出射した光を透過しながら拡散し、被照明部材３に照射される光を均一化する。
【００５０】
また、このような光拡散部材７は、被照明部材３の発光素子４側の面に取り付けても良いし、また、被照明部材３とは別に（分離した状態で）、被照明部材３の発光素子４側の面側に配置するようにしてもよい。
【００５１】
［光拡散部材から出射する光の出射光量］
図１０及び図１１は、本発明が適用される表示装置１において、図１に示すような発光素子４の配置とした場合の被照明部材３に照射される光の出射光量分布（照度分布）を示す図である。
【００５２】
このうち、図１０は、図１のＢ方向に沿って測定した照度分布線図を示すものであり、Ｓ１で示す線図が図１乃至図４に示した本発明の実施態様における照度分布線図である。また、この図１０において、Ｓ２で示す線図は、図１９に示す従来例の発光素子１２０を図１に示す本発明の表示装置１の発光素子４と同一の配置にして点灯し、本発明の観測位置に対応させて測定した照度分布を示す線図である。図１１は、図１のＡ方向に沿って測定した照度分布線図を示すものであり、Ｓ３で示す線図が図１乃至図４に示した本発明の実施態様における照度分布線図である。また、この図１１において、Ｓ４で示す線図は、図１９に示す従来例の発光素子１２０を図１に示す本発明の表示装置１の発光素子４と同一の配置にして点灯し、本発明の観測位置に対応させて測定した照度分布を示す線図である。そして、これら図１０における観測位置Ｂ１，Ｂ２，Ｂ３が図１における発光素子４の発光中心位置（光軸Ｌの位置）Ｂ１，Ｂ２，Ｂ３に対応しており、図１１における観測位置Ａ１，Ａ２，Ａ３が図１におけるＡ１，Ａ２，Ａ３に対応している。これらの図に示されるように、従来例は発光素子４上と発光素子４，４間とで照度の差が極めて大きいが、本発明は発光素子４上と発光素子４，４間とで照度の差が極めて小さい。すなわち、本発明は、従来例に比較して照度分布が均一化する。
【００５３】
（ＬＥＤ単灯の場合）
図１２は、本発明の表示装置１において、９個の発光素子４のうちの１個の発光素子４のみを発光させた場合に、被照明部材３に照射される光の照度分布を立体的に示す図である。また、図１３は、図１９に示す従来例の発光素子１２０を１個のみ発光させた場合に、被照明部材３に照射される光の照度分布を立体的に示す図である。これら図１２及び図１３を比較して分かるように、本発明によれば、光束制御部材５の機能によって出射光の光束が発光素子４の近傍に広く拡がっており、発光素子４の出射光を滑らかに拡げて被照明部材３に照射させることができる。一方、従来例によれば、発光素子１２０の直上近傍に出射光の光束が集中している。
【００５４】
（ＬＥＤ複灯の場合）
図１４は、図１に示す本発明の表示装置１において、９個の発光素子４の全てを発光させた場合に、被照明部材３に照射される光の照度分布を立体的に示す図である。また、図１５は、図１９に示す従来例の発光素子１２０を図１に示す本発明の表示装置１の発光素子４と同様の配置で９個を全て発光させた場合に、被照明部材３に照射される光の照度分布を立体的に示す図である。これら図１４及び図１５を比較して分かるように、本発明によれば、光束制御部材５の機能によって出射光の光束が発光素子４のピッチが狭いＡ方向とピッチが広いＢ方向（図１参照）との差を考慮して非等方的に、且つ光束制御部材５を使用しない場合に発光素子４の直上を局所的に明るく照射する光が発光素子４，４間、特にピッチの広いＢ方向における発光素子４，４間のような暗部となり易い領域に振り分けられて広く拡がっており、隣り合う発光素子４の光束が混ざり合って、被照明部材３の被照射領域の全域にわたって照度が均一化している。一方、従来例によれば、発光素子４の直上近傍が局所的に明るく照射され、各発光素子４の直上近傍と各発光素子４，４間とで大きな照度差を生じている。
【００５５】
なお、図１６は、図９に示す本発明の表示装置１において、７個の発光素子４の全てを発光させた場合に、被照明部材３に照射される光の照度分布を立体的に示す図である。また、図１７は、図１９に示す従来例の発光素子１２０を図９に示す本発明の表示装置１の発光素子４と同様の配置で７個全て発光させた場合に、被照明部材３に照射される光の照度分布を立体的に示す図である。これら図１６及び図１７を比較して分かるように、本発明によれば、光束制御部材５の機能によって出射光の光束のうち、光束制御部材５を使用しない場合に発光素子４の直上を局所的に明るく照射する光が発光素子４，４間のような暗部となり易い領域に振り分けられて広く拡がっており、隣り合う発光素子４，４の光束が混ざり合って、被照明部材３の被照射領域の全域にわたって照度が均一化している。一方、従来例によれば、発光素子１２０の直上近傍が局所的に明るく照射され、各発光素子１２０の直上近傍と各発光素子１２０間とで大きな照度差を生じている。
【００５６】
（本実施形態の効果）
以上のように、本願発明に係る表示装置１によれば、光束制御部材５の光制御出射面６の作用により、光束制御部材５から出射する光が滑らかに且つ十分に拡がり、周囲の複数の発光素子４から発せられた光と混ざり合い、図１４及び図１６に示すような均一輝度の照明光が得られる。
【００５７】
また、本願発明の表示装置１は、各発光素子（例えば、白色発光するＬＥＤ）４の発生する光の色にばらつき（例えば、黄色味を帯びた色の濃淡）があったとしても、複数の発光素子４の光が広く混ざり合うため、発光素子４の発光色のばらつきが目立たなくなり、高品質の照明が可能になる。
【００５８】
なお、図１８（ａ）は、図１乃至図４に示した本願発明に係る表示装置１において、９個の発光素子４を全て点灯した場合に、被照明部材３に照射される光のうちで照度の低い部分を斜線で示した図である。また、図１８（ｂ）は、図１８（ａ）の光束制御部材（図４（ａ）参照）に代えて、平面形状が円形であり且つ光軸Ｌ回りのθ５／θ１の数値が図７（ｃ）の出射角φに拘わらず一定である光束制御部材を使用した場合に、被照明部材３に照射される光のうちで照度の低い部分を斜線で示した図である。これらの図１８（ａ）及び（ｂ）を比較して分かるように、図１８（ａ）の態様の本願発明に係る表示装置１の照度分布の方が図１８（ｂ）の態様の表示装置１よりも広範囲に均一化する。
【００５９】
図１８（ｃ）は、図９に示した本願発明に係る表示装置１の７個の発光素子４を全て点灯した場合に、被照明部材３に照射される光の照射範囲を点線で示す図である。また、図１８（ｄ）は、図１８（ｃ）の光束制御部材（図４（ａ）参照）に代えて、平面形状が円形であり且つ光軸Ｌ回りのθ５／θ１の数値が図７（ｃ）の出射角φに拘わらず一定である光束制御部材を使用した場合に、被照明部材３に照射される光のうちで照度の低い部分を斜線で示した図である。これらの図１８（ｃ）及び（ｄ）を比較して分かるように、図９に示した本発明の表示装置１は、図１８（ｃ）に示すように光の照射範囲が重なり合って、被照明部材３に照射される光の照度が均一化する。これに対し、図１８（ｄ）の表示装置１は、各発光素子４間に照度の低い部分（斜線部分）が生じる。なお、本発明の光束制御部材５（図４参照）を使用する表示装置１は、被照明部材３へ照射される照明光の平面形状が略四角形状である（図１８（ａ），（ｃ）参照）。
【００６０】
《第２実施形態》
図２０は、本発明を適用した発光装置９の第２実施形態を示すものであり、図２０（ａ）が発光装置９の平面図、図２０（ｂ）が発光装置９の側面図、図２０（ｃ）が図２０（ａ）のＸ３−Ｘ３線に沿って切断して示す断面図である。なお、図２０に示す本実施形態の発光装置９は、上記第１実施形態に係る発光装置９と実質的に同一の構成には同一符号を付し、上記第１実施形態に係る発光装置９の説明と重複する説明を省略して詳述する。
【００６１】
この図２０に示すように、本実施形態の発光装置９は、発光素子４が基板２０に埋設され、基板表面２０ａと発光素子４の発光面部４ａとがほぼ同一面になっており、光束制御部材５が発光素子４の発光面部４ａを覆うように基板２０上に取り付けられている。
【００６２】
光束制御部材５は、その中心が発光素子４の発光中心から延びる光軸Ｌ上に位置しており、半球状の凹み１０が発光素子４に対応するように形成されている。すなわち、光束制御部材５の凹み１０は、発光素子４の発光中心を中心とする半球状の内周面（第１実施形態における光束制御部材５の凹み１０を構成する第１内周面１０ａ）のみからなっており、その内部が空間になっている。
【００６３】
光束制御部材５の下面５ａ側の外周には、鍔部２１が形成されている。この光束制御部材５の鍔部２１は、平面形状が略四角形状であり、コーナー部２２の外縁が丸められ（Ｒ面取りされ）、各コーナー部２２の下面に突起２３が突出形成されている。光束制御部材５の鍔部２１の下面に形成された突起２３は、基板２０に形成された位置決め穴２４に係合され、光束制御部材５の中心を発光素子４の中心に対して位置決めする位置決め機能を有している。
【００６４】
鍔部２１は、光束制御部材５の第２の出射面６ｂを減ずることがない厚さ寸法に形成されており、光束制御部材５の光出射機能を損なうことがない形状になっている。すなわち、鍔部２１は、その上面２１ａと光束制御部材５の光制御出射面６との接続部２５が光軸Ｌから７５°以上（β＞７５°）の位置になるように形成されている。
【００６５】
その結果、本実施形態の光束制御部材５は、発光素子４からの光が鍔部２１に回り込むのを少なくすることができ、第１の出射面６ａ及び第２の出射面６ｂが第１実施形態の光束制御部材５と同様の光出射機能を発揮する。なお、光束制御部材５は、鍔部２１を含めた下面（突起２３を除いた下面）５ａの全体が基板表面２０ａに密接するような平坦面になっている。
【００６６】
このような第２実施形態の光束制御部材５は、鍔部２１の下面の突起２３を基板２０の位置決め穴２４に係合し、その下面５ａを基板表面２０ａに密接させた状態で固定される。光束制御部材５と基板２０の固定は、突起２３を位置決め穴２４に圧入するか、又は、光束制御部材５の下面５ａと基板表面２０ａとを接着剤（透明や白色の接着剤であって、反射性や遮光性を考慮し、光照射機能に悪影響を及ぼし難い接着剤）で接着することが考えられる。
【００６７】
なお、本実施形態は、鍔部２１の外縁の平面形状が略四角形状のものを例示したが、これに限られず、鍔部２１の外縁の平面形状が円形のものやその他の形状のものでもよい。
【００６８】
また、本実施形態は、突起２３を鍔部２１の各コーナー部２２にそれぞれ（合計４個）形成する態様を例示したが、少なくとも、対角線上のコーナー部２２に一対（合計２個）の突起２３を形成すればよい。
【００６９】
また、本実施形態は、突起２３を鍔部２１の下面に形成する態様を例示したが、これに限られず、図２１に示すように、鍔部２１を形成せず、突起２３を光束制御部材５の下面５ａに形成するようにしてもよい。
【００７０】
また、本実施形態は、発光素子４の発光面部４ａと基板表面２０ａとがほぼ同一平面になる態様を例示したが、第２の出射面６ｂの領域を減ずることがない範囲において、発光素子４の発光面部４ａを基板表面２０ａから所定寸法δ１だけ引っ込めるようにしてもよく（図２２（ａ）参照）、また、発光素子４の発光面部４ａを基板表面２０ａから所定寸法δ２だけ出っ張らせるようにしてもよい（図２２（ｂ）参照）。
【００７１】
また、本実施形態は、光束制御部材５の鍔部２１を含めた下面（但し、突起２３を除く）５ａの全体を基板表面２０ａに密接させる態様を例示したが、これに限られず、発光素子４の発光面部４ａを取り囲む環状のシール面が形成され、光束制御部材５の外部の埃が発光素子４の発光面部４ａ及び凹み１０内に進入するのを阻止できるようなものであれば、光束制御部材５の下面５ａの一部のみを基板表面２０ａに密接させるようにしてもよい。
【００７２】
また、本実施形態は、基板２０側に位置決め穴２４を形成し、この位置決め穴２４に係合する突起２３を光束制御部材５側に形成する態様を例示したが、基板２０側に突起を形成し、この突起に係合する位置決め穴を光束制御部材５側に形成するようにしてもよい。
【産業上の利用可能性】
【００７３】
この発明に係る発光装置は、テレビモニターやパーソナルコンピュータのモニターのバックライトに使用したり、室内表示灯や各種照明などの用途に広く使用することができる。
【図面の簡単な説明】
【００７４】
【図１】本発明が適用できる面光源装置及びこれを備えた表示装置を示すものであり、被照明部材を省略して示す平面図である。
【図２】図１のＸ１−Ｘ１線及びＸ３−Ｘ３線に沿って切断して示す表示装置の断面図である。
【図３】発光素子（ＬＥＤ）の光軸を含む表示装置の一部断面図であり、各パラメータ（θ１，θ３，θ５，δ１，δ２等）を説明する図である。
【図４】光束制御部材を示す詳細図であり、（ａ）が平面図、（ｂ）が（ａ）の下側面図、（ｃ）が（ａ）の左側面図、（ｄ）が（ａ）のＸ２−Ｘ２線に沿って示す断面図である。
【図５】光束制御部材のＬＥＤ出射角θ１と出射角θ５との関係を示す図である。
【図６】光束制御部材のＬＥＤ出射角θ１とレンズ面傾斜角θ３との関係を示す図である
【図７】本発明の光束制御部材の拡散度合いの係数αを説明する図であり、（ａ）が出射角φと拡散度合いの係数αとの関係を示す図、（ｂ）が図３に対応する図、（ｃ）が出射角φを説明する図である。
【図８】光拡散部材を拡大して示す側面図である。（ａ）は光拡散部材の第１例を示す側面図、（ｂ）は光拡散部材の第２例を示す側面図、（ｃ）は光拡散部材の第３例を示す側面図、（ｄ）は光拡散部材の第４例を示す側面図、（ｅ）は光拡散部材の第５例を示す側面図、（ｆ）は光拡散部材の第６例を示す側面図、（ｇ）は表示装置の一部拡大断面図である。
【図９】本発明が適用される表示装置の変形例を示す図である。
【図１０】本発明が適用される表示装置の被照明部材に照射される光の出射光量分布（図１のＢ方向に沿って測定した出射光量分布）を、従来例の出射光量分布と比較して示す図である。
【図１１】本発明が適用される表示装置の被照明部材に照射される光の出射光量分布（図１のＡ方向に沿って測定した出射光量分布）を、従来例の出射光量分布と比較して示す図である。
【図１２】図１に示す本発明の表示装置において、９個の発光素子のうちの１個の発光素子のみを発光させた場合に、被照明部材に照射される光の照度分布を立体的に示す図である。
【図１３】図１９に示す従来例の発光素子を１個のみ発光させた場合に、被照明部材に照射される光の照度分布を立体的に示す図である。
【図１４】図１に示す本発明の表示装置において、９個の発光素子の全てを発光させた場合に、被照明部材に照射される光の照度分布を立体的に示す図である。
【図１５】図１９に示す従来例の発光素子の９個を全て発光させた場合に、被照明部材に照射される光の照度分布を立体的に示す図である。
【図１６】図９に示す本発明の表示装置において、７個の発光素子の全てを発光させた場合に、被照明部材に照射される光の照度分布を立体的に示す図である。
【図１７】図１９に示す従来例の発光素子を７個全て発光させた場合に、被照明部材に照射される光の照度分布を立体的に示す図である。
【図１８】発光素子からの出射光によって照射される面内において照度の低い部分を説明する図である。
【図１９】従来の表示装置を示す図である。
【図２０】本発明の第２実施形態に係る発光装置を示す図であり、図２０（ａ）が発光装置の平面図、図２０（ｂ）が発光装置の側面図、図２０（ｃ）が図２０（ａ）のＸ３−Ｘ３線に沿って切断して示す断面図である。
【図２１】本発明の第２実施形態の第１変形例を示す図であり、図２１（ａ）が発光装置の平面図、図２１（ｂ）が発光装置の側面図、図２１（ｃ）が図２１（ａ）のＸ４−Ｘ４線に沿って切断して示す断面図である。
【図２２】図２２（ａ）が第２実施形態に係る発光装置の第２変形例を示す断面図（図２０（ａ）に対応する図）であり、図２２（ｂ）が第２実施形態に係る発光装置の第３変形例を示す断面図（図２０（ａ）に対応する図）である。
【符号の説明】
【００７５】
１……表示装置、２……面光源装置、３……被照明部材（液晶表示パネル）、４……発光素子（ＬＥＤ）、５……光束制御部材、６……光制御出射面、６ａ……第１の出射面、６ｂ……第２の出射面、９……発光装置、１０……凹み、１０ａ……第１内周面、１０ｂ……第２内周面、Ｌ……光軸（基準光軸）、Ｐｏ……変曲点、α……拡散度合いの係数
【図１】
2007227410.tif 000007
【図２】
2007227410.tif 000008
【図３】
2007227410.tif 000009
【図４】
2007227410.tif 000010
【図５】
2007227410.tif 000011
【図６】
2007227410.tif 000012
【図７】
2007227410.tif 000013
【図８】
2007227410.tif 000014
【図９】
2007227410.tif 000015
【図１０】
2007227410.tif 000016
【図１１】
2007227410.tif 000017
【図１２】
2007227410.tif 000018
【図１３】
2007227410.tif 000019
【図１４】
2007227410.tif 000020
【図１５】
2007227410.tif 000021
【図１６】
2007227410.tif 000022
【図１７】
2007227410.tif 000023
【図１８】
2007227410.tif 000024
【図１９】
2007227410.tif 000025
【図２０】
2007227410.tif 000026
【図２１】
2007227410.tif 000027
【図２２】
2007227410.tif 000028